【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
ステップをゲーム音楽に合わせて楽しむゲームを、第１及び第２のプレイヤのそれぞれに対して提供するゲーム装置において、
複数の第１ステップ領域を含んで構成され、該複数の第１ステップ領域のそれぞれについて、前記第１のプレイヤが足を載せているか否かを検出する第１のステップ検出手段と、
複数の第２ステップ領域を含んで構成され、該複数の第２ステップ領域のそれぞれについて、前記第２のプレイヤが足を載せているか否かを検出する第２のステップ検出手段と、
前記第１及び第２のステップ検出手段による検出結果に基づいて、前記第１及び第２のプレイヤのステップのタイミングを取得するタイミング取得手段と、
前記第１のプレイヤが前記複数の第１ステップ領域に対しステップすべきタイミングと、前記第２のプレイヤが前記複数の第２ステップ領域に対しステップすべきタイミングと、を少なくとも表すタイミングデータを記憶するタイミングデータ記憶手段と、
前記第１のプレイヤに対し、前記タイミングデータに基づき、前記複数の第１ステップ領域に対するステップを案内し、前記第２のプレイヤに対し、前記タイミングデータに基づき、前記複数の第２ステップ領域に対するステップを案内するステップ案内手段と、
前記タイミング取得手段により取得されるステップのタイミングを、前記タイミングデータが表すステップのタイミングと照査し、前記第１及び第２のプレイヤのそれぞれによるステップを評価するステップ評価手段と、
前記ステップ評価手段による評価結果に基づき、前記第１のプレイヤに対し、前記タイミングデータが表すステップすべきタイミングのうち、前記複数の第１ステップ領域のうち一の第１ステップ領域に対するステップのみが案内されるタイミングに、前記複数の第１ステップ領域のうち他の第１ステップ領域に対するステップを新たに１つ追加して案内する第１のステップ追加手段と、
前記ステップ評価手段による評価結果に基づき、前記第２のプレイヤに対し、前記タイミングデータが表すステップすべきタイミングのうち、前記複数の第２ステップ領域のうち一の第２ステップ領域に対するステップのみが案内されるタイミングに、前記複数の第２ステップ領域のうち他の第２ステップ領域に対するステップを新たに１つ追加して案内する第２のステップ追加手段と、
を含むことを特徴とするゲーム装置。
【請求項２】
請求項１に記載のゲーム装置において、
前記ステップ案内手段は、前記第１及び第２のプレイヤのそれぞれに対し、第１のステップタイミング指示画像を表示するとともに、表示画面上で該第１のステップタイミング指示画像に徐々に接近する複数の第２のステップタイミング指示画像を表示し、以てステップのタイミングが徐々に到来する様子を案内し、
前記第１のステップ追加手段は、前記第１のプレイヤに対し、前記第１のステップタイミング指示画像に接近する前記第２のステップタイミング指示画像を新たに追加し、以て前記第１のプレイヤに対して案内するステップのタイミングを新たに追加し、
前記第２のステップ追加手段は、前記第２のプレイヤに対し、前記第１のステップタイミング指示画像に接近する前記第２のステップタイミング指示画像を新たに追加し、以て前記第２のプレイヤに対して案内するステップのタイミングを新たに追加する、
ことを特徴とするゲーム装置。
【請求項３】
ステップをゲーム音楽に合わせて楽しむゲームを、第１及び第２のプレイヤのそれぞれに対して提供するためのゲーム処理方法において、
複数の第１ステップ領域を含んで構成され、該複数の第１ステップ領域のそれぞれについて、前記第１のプレイヤが足を載せているか否かを検出する第１のステップ検出手段と、複数の第２ステップ領域を含んで構成され、該複数の第２ステップ領域のそれぞれについて、前記第２のプレイヤが足を載せているか否かを検出する第２のステップ検出手段と、による検出結果に基づいて、タイミング取得手段が、前記第１及び第２のプレイヤのステップのタイミングを取得するためのタイミング取得ステップと、
タイミングデータ取得手段が、前記第１のプレイヤが前記複数の第１ステップ領域に対しステップすべきタイミングと、前記第２のプレイヤが前記複数の第２ステップ領域に対しステップすべきタイミングと、を少なくとも表すタイミングデータを、タイミングデータ記憶手段から読み出して取得するためのタイミングデータ取得ステップと、
ステップ案内手段が、前記第１のプレイヤに対し、前記タイミングデータ取得ステップにおいて前記タイミングデータ取得手段によって取得される前記タイミングデータに基づき、前記複数の第１ステップ領域に対するステップを案内し、前記第２のプレイヤに対し、前記タイミングデータ取得ステップにおいて前記タイミングデータ取得手段によって取得される前記タイミングデータに基づき、前記複数の第２ステップ領域に対するステップを案内するためのステップ案内ステップと、
ステップ評価手段が、前記タイミング取得ステップにおいて前記タイミング取得手段によって取得されるステップのタイミングを、前記タイミングデータ取得ステップにおいて前記タイミングデータ取得手段によって取得される前記タイミングデータが表すステップのタイミングと照査し、前記第１及び第２のプレイヤのそれぞれによるステップを評価するためのステップ評価ステップと、
前記第１のプレイヤに対し新たにステップを１つ追加して案内する手段が、前記ステップ評価ステップにおいて前記ステップ評価手段によってなされる評価結果に基づき、前記第１のプレイヤに対し、前記タイミングデータ取得ステップにおいて前記タイミングデータ取得手段によって取得される前記タイミングデータが表すステップすべきタイミングのうち、前記複数の第１ステップ領域のうち一の第１ステップ領域に対するステップのみが案内されるタイミングに、前記複数の第１ステップ領域のうち他の第１ステップ領域に対するステップを新たに１つ追加して案内するためのステップと、
前記第２のプレイヤに対し新たにステップを１つ追加して案内する手段が、前記ステップ評価ステップにおいて前記ステップ評価手段によってなされる評価結果に基づき、前記第２のプレイヤに対し、前記タイミングデータ取得ステップにおいて前記タイミングデータ取得手段によって取得される前記タイミングデータが表すステップすべきタイミングのうち、前記複数の第２ステップ領域のうち一の第２ステップ領域に対するステップのみが案内されるタイミングに、前記複数の第２ステップ領域のうち他の第２ステップ領域に対するステップを新たに１つ追加して案内するためのステップと、
を含むことを特徴とするゲーム処理方法。
【請求項４】
ステップをゲーム音楽に合わせて楽しむゲームを、第１及び第２のプレイヤのそれぞれに対して提供するためのプログラムを記憶したコンピュータ読み取り可能な情報記憶媒体であって、
複数の第１ステップ領域を含んで構成され、該複数の第１ステップ領域のそれぞれについて、前記第１のプレイヤが足を載せているか否かを検出する第１のステップ検出手段と、複数の第２ステップ領域を含んで構成され、該複数の第２ステップ領域のそれぞれについて、前記第２のプレイヤが足を載せているか否かを検出する第２のステップ検出手段と、による検出結果に基づいて、タイミング取得手段が、前記第１及び第２のプレイヤのステップのタイミングを取得するためのタイミング取得ステップと、
タイミングデータ取得手段が、前記第１のプレイヤが前記複数の第１ステップ領域に対しステップすべきタイミングと、前記第２のプレイヤが前記複数の第２ステップ領域に対しステップすべきタイミングと、を少なくとも表すタイミングデータを、タイミングデータ記憶手段から読み出して取得するためのタイミングデータ取得ステップと、
ステップ案内手段が、前記第１のプレイヤに対し、前記タイミングデータ取得ステップにおいて前記タイミングデータ取得手段によって取得される前記タイミングデータに基づき、前記複数の第１ステップ領域に対するステップを案内し、前記第２のプレイヤに対し、前記タイミングデータ取得ステップにおいて前記タイミングデータ取得手段によって取得される前記タイミングデータに基づき、前記複数の第２ステップ領域に対するステップを案内するためのステップ案内ステップと、
ステップ評価手段が、前記タイミング取得ステップにおいて前記タイミング取得手段によって取得されるステップのタイミングを、前記タイミングデータ取得ステップにおいて前記タイミングデータ取得手段によって取得される前記タイミングデータが表すステップのタイミングと照査し、前記第１及び第２のプレイヤのそれぞれによるステップを評価するためのステップ評価ステップと、
前記第１のプレイヤに対し新たにステップを１つ追加して案内する手段が、前記ステップ評価ステップにおいて前記ステップ評価手段によってなされる評価結果に基づき、前記第１のプレイヤに対し、前記タイミングデータ取得ステップにおいて前記タイミングデータ取得手段によって取得される前記タイミングデータが表すステップすべきタイミングのうち、前記複数の第１ステップ領域のうち一の第１ステップ領域に対するステップのみが案内されるタイミングに、前記複数の第１ステップ領域のうち他の第１ステップ領域に対するステップを新たに１つ追加して案内するためのステップと、
前記第２のプレイヤに対し新たにステップを１つ追加して案内する手段が、前記ステップ評価ステップにおいて前記ステップ評価手段によってなされる評価結果に基づき、前記第２のプレイヤに対し、前記タイミングデータ取得ステップにおいて前記タイミングデータ取得手段によって取得される前記タイミングデータが表すステップすべきタイミングのうち、前記複数の第２ステップ領域のうち一の第２ステップ領域に対するステップのみが案内されるタイミングに、前記複数の第２ステップ領域のうち他の第２ステップ領域に対するステップを新たに１つ追加して案内するためのステップと、
をコンピュータに実行させるためのプログラムを記憶したコンピュータ読み取り可能な情報記憶媒体。